(57)【要約】【課題】排水枡が大きくなっても、濾過手段の清掃作業を簡単に行うことができる排水枡を提供することを目的とする。【解決手段】排水溝の端部が接続され、排水溝からの排水が流れ込む排水枡であって、上方に向かって開口され、枡蓋が載置される枡蓋受枠と、枡蓋受枠から下方に向かって筒状をなすとともに排水が流入する流入口が設けられる側面部、側面部の底面を構成する底面部を備える枡本体部と、側面部から横方向に突出され排水溝が接続される接続部と、を備え、接続部が、排水溝の端部が接続される継手部と、継手部より側面部側に設けられ継手部の底面から凹状とされるとともに、流入口に続く処理槽と、処理層に装着され排水に含まれる塵芥を漉し取る籠状の第１濾過手段と、上方に向かって開口され、接続部の上面を覆う接続部用蓋が載置される接続部受枠とを備える。【選択図】図１
2016079595.tif 000002
【特許請求の範囲】
【請求項１】
排水溝の端部が接続され、前記排水溝からの排水が流れ込む排水枡であって、
上方に向かって開口され、枡蓋が載置される枡蓋受枠と、
前記枡蓋受枠から下方に向かって筒状をなすとともに排水が流入する流入口が設けられる側面部、前記側面部の底面を構成する底面部を備える枡本体部と、
前記側面部から横方向に突出され前記排水溝が接続される接続部と、を備え、
前記接続部が、
前記排水溝の端部が接続される継手部と、
前記継手部より前記側面部側に設けられ前記継手部の底面から凹状とされるとともに、前記流入口に続く処理槽と、
前記処理層に装着され排水に含まれる塵芥を漉し取る籠状の第１濾過手段と、
上方に向かって開口され、前記接続部の上面を覆う接続部用蓋が載置される接続部受枠と、を備えることを特徴とする排水枡。
【請求項２】
前記第１濾過手段の下流側に、排水の流れにその面を向けた板状の第２濾過手段を設けたことを特徴とする請求項１に記載の排水枡。
【請求項３】
前記処理層及び前記第１濾過手段の前記継手部側の壁面の上側が前記継手部側に倒れるように傾斜されていることを特徴とする請求項１又は２に記載の排水枡。
【発明の詳細な説明】
【技術分野】
【０００１】
本発明は、床又は地面に埋設される排水枡に関し、詳しくは、排水溝から流れ込む排水に含まれる塵芥を、排水枡本体に流れ込む前に漉し取る排水枡に関する。
【背景技術】
【０００２】
従来、厨房等の施設の排水には、床等に埋設された排水溝と、当該排水溝の端部が接続され排水が流れ込む排水枡とが用いられてきた。この排水枡に流れ込む排水中には、食物の残渣等の塵芥が含まれており、何ら濾過手段を講じずに排水枡に流入させると、トラップが備えられた排水枡においては排水枡の中がすぐに塵芥で一杯になり、また、トラップが備えられていない排水枡においては下水等に塵芥がそのまま流れてしまう事態が発生する恐れがあった。
【０００３】
そのため、排水に含まれる塵芥を漉し取るために、例えば、実用新案登録第３１８９７７１号公報に開示されているように、排水枡の中に籠状の濾過手段を設けることが広く行われている。
【先行技術文献】
【特許文献】
【０００４】
【特許文献１】実用新案登録第３１８９７７１号公報
【発明の概要】
【発明が解決しようとする課題】
【０００５】
しかし、特許文献１に開示されているような、排水枡の中に濾過手段を設ける構成とすると、排水枡が大きくなった場合において排水枡の枡蓋や濾過手段が重くなり、濾過手段の清掃時に排水枡の蓋を取外し、さらに濾過手段を排水枡の中から引き上げる作業が重労働となる恐れがあった。特に、このような清掃作業には、高齢の女性が従事する場合が多く、濾過手段の清掃作業の労力軽減が求められてきた。
【０００６】
また、複数の排水溝が接続される排水枡の場合、排水溝の数に応じて流入する排水の量が多くなり、その排水の量に応じた濾過手段を設ける必要があるため、濾過手段が大型化し、濾過手段を装着する排水枡も大型化してしまうという課題もあった。
【０００７】
本発明は、上記の点に鑑みなされたもので、その課題は、排水枡が大きくなっても、濾過手段の清掃作業を簡単に行うことができる排水枡を提供することを目的とする。また、本発明の別の課題は、排水溝が複数接続される排水枡においても、濾過手段を分散して設けることにより、排水枡本体の大型化を抑制することを目的とする。
【課題を解決するための手段】
【０００８】
本発明の排水枡は、
排水溝の端部が接続され、前記排水溝からの排水が流れ込む排水枡であって、
上方に向かって開口され、枡蓋が載置される枡蓋受枠と、
前記枡蓋受枠から下方に向かって筒状をなすとともに排水が流入する流入口が設けられる側面部、前記側面部の底面を構成する底面部を備える枡本体部と、
前記側面部から横方向に突出され前記排水溝が接続される接続部と、を備え、
前記接続部が、
前記排水溝の端部が接続される継手部と、
前記継手部より前記側面部側に設けられ前記継手部の底面から凹状とされるとともに、前記流入口に続く処理槽と、
前記処理層に装着され排水に含まれる塵芥を漉し取る籠状の第１濾過手段と、
上方に向かって開口され、前記接続部の上面を覆う接続部用蓋が載置される接続部受枠と、を備えることを特徴とする。
【０００９】
本発明の排水枡によれば、接続部に第１濾過手段が装着された処理槽を備える。また、処理槽が継手部の底面から凹状かつ枡本体部の流入口に続くように構成され、さらに第１濾過手段が籠状に構成されている。このため、接続部の底面を流れてきた排水が、第１濾過手段の上側から流れ込み、第１濾過手段で濾過された排水が枡本体部に流入する。このとき、第１濾過手段が籠状をなしているため、比較的多くの塵芥を溜めることができる。また、接続部の上側の開口された部分には接続部用蓋が載置されるが、当該接続部用蓋は排水枡の大きさに左右されず、排水枡が大きくなってもそのままの大きさであり、簡単に着脱することができる。また、同様に、第１濾過手段も排水枡の大きさに左右されず、排水枡が大きくなっても簡単に着脱することができる。
【００１０】
また、第１濾過手段が接続部の本数分あるため、排水枡に接続される排水溝が増え、流入する排水の量が増えると、それに比例して第１濾過手段の数も増え、濾過能力を増加させることができる。このため、濾過能力が排水枡本体の大きさに左右されず、接続される排水溝の本数が増えても、排水枡を大きくする必要がない。
【００１１】
本発明の排水枡の好ましい例は、
前記第１濾過手段の下流側に、排水の流れにその面を向けた板状の第２濾過手段を設けたことを特徴とする。
【００１２】
本発明の排水枡の好ましい例によれば、第１濾過手段の下流側に、排水の流れにその面を向けた板状の第２濾過手段をさらに設けているため、第１濾過手段の清掃のため第１濾過手段を取り外しているときに排水が流入しても、第２濾過手段で塵芥が漉し取られる。なお、排水の流れにその面を向けるとは、排水をその面で漉し取るように設けるという意味であり、排水の流れに垂直に設ける場合は勿論のこと、排水の流れに対しその面を傾斜して取付けることも含まれることを意図する。
【００１３】
本発明の排水枡の好ましい例は、
前記処理層及び前記第１濾過手段の前記継手部側の壁面の上側が前記継手部側に倒れるように傾斜されていることを特徴とする。
【００１４】
本発明の排水枡の好ましい例によれば、処理層及び第１濾過手段の継手部側の壁面の上側が継手部側に倒れるように傾斜されているため、継手部から処理槽及び第１濾過手段に流れ込む排水の流れが滑らかになる。これにより、塵芥が排水の流れによって押され、第１濾過手段の一部に溜まることなく全体にわたって堆積される。
【発明の効果】
【００１５】
以上説明したように、本発明の排水枡によれば、第１濾過手段が籠状をなし、比較的多くの塵芥を溜めることができるため、第１濾過手段の清掃頻度を下げることができる。また、第１濾過手段及び接続部用蓋の大きさが排水枡の大きさに左右されないため、排水枡が大きくなっても第１濾過手段及び接続部用蓋が重くならず、清掃時の労力の低減を図ることができる。また、塵芥が第１濾過手段で漉し取られるため、排水枡本体の清掃頻度を大幅に少なくすることができる。
【００１６】
また、一般的に、排水に含まれる塵芥の量は、排水枡に接続される排水溝の本数に比例するため、接続される排水溝の本数が多くなれば排水枡の濾過手段を大きなものにする必要があり、必然的に排水枡自体が大型化するが、本発明によれば、排水溝毎に第１濾過手段が設けられるため、濾過能力が排水溝の本数に比例する。このため、排水枡に接続される排水溝の本数が増加しても、枡本体部を大型化する必要がなく、小さな枡本体部とすることができる。
【００１７】
また、本発明の排水枡の好ましい例によれば、第１濾過手段を取り外しているときに排水が流入しても、第２濾過手段で塵芥が漉し取られるため、第１濾過手段の清掃中であっても枡本体部に塵芥が流れ込まず、排水枡本体の清掃頻度をより少なくすることができる。
【００１８】
また、本発明の排水枡の好ましい例によれば、塵芥が第１濾過手段の略全体にわたって堆積されるため、塵芥を効率よく溜めることができ、第１濾過手段の清掃頻度を少なくすることができる。
【図面の簡単な説明】
【００１９】
【図１】本発明の一実施形態に係る排水枡の斜視図である。
【図２】図１に示す排水枡の平面図である。
【図３】図２のＡ−Ａ線断面図である。
【図４】第２濾過手段の拡大図である。
【発明を実施するための形態】
【００２０】
以下、本発明の排水枡の実施の形態について、添付図面を参照して詳細に説明する。図１は本発明の一実施形態に係る排水枡の斜視図、図２は図１に示す排水枡の平面図、図３は図２のＡ−Ａ線断面図、図４は第２濾過手段の拡大図である。
【００２１】
図１〜図３に示すように、本実施形態の排水枡１は、枡蓋受枠１０と、枡本体部２０と、接続部４０とを備える。
【００２２】
枡蓋受枠１０は、図示しない枡蓋が載置されるもので、上方に向かって開口され、平面視で略ロ字状をなす。そして、最外周に床等と同じ高さに設けられる外枠１１があり、この外枠１１の内側の一段下がったところに水平な帯状の面からなるとともに、枡蓋の底面が当接される枡蓋受部１２が設けられる。なお、枡蓋は、その上面が外枠１１の上面及び床等と同じ高さになるように構成される。
【００２３】
枡本体部２０は、枡蓋受枠１０から下方に向かって筒状をなすもので、側面部２１と、底面部２４と、排水管２５と、第２濾過手段２８とを備える。
【００２４】
側面部２１は前記枡蓋受部１２の内側の縁から垂下される板状部材であり、その板状部材を４枚接合することで、四角柱状の筒状部材としている。また、側面部２１の途中に、排水を流入させる流入口２２が設けられる。また、本実施形態では、側面部２１の途中に内側に向かって段差２３を設け、当該段差２３から下側を一回り小さく構成しているが、この段差２３は必須の構成ではなく、側面部２１の上端から下端まで１枚の連続した板状に構成してもよい。また、本実施形態では、側面部２１は四角柱状の筒状をなしているが、他の多角柱状や円筒状であってもよい。
【００２５】
底面部２４は、側面部２１の下端に設けられた水平の板状部材で、枡本体部２０の底部を構成する。なお、本実施形態では、独立した底面部２４を備えるが、例えば、側面部２１の下端を内側に絞ることで側面部２１と底面部２４とを一体化させ、縦断面略Ｕ字状の枡本体部としてもよい。
【００２６】
排水管２５は、本実施形態ではトラップ管２５を採用し、縦管２６と、縦管２６の途中から略水平方向に分岐した横管２７とを備える。そして、横管２７は、一の側面部２１のやや下方を貫通し、図示しない下流側の排水設備に接続される。なお、排水管２５は、上記のトラップ管２５に限られず、底面部２４から垂直に排水管を下方に向かって接続させる構成等が採用できる。
【００２７】
第２濾過手段２８は、図４にも示すように、側面部２１の内側の流入口２２を覆うように設けられるもので、取付枠２９と、板状のストレーナ３０とを備える。取付枠２９は、Ｚ形に曲げ加工されたブラケット２９から構成され、側面部２１との間に隙間ができる方を内側にして、下、及び左右の３箇所にそれぞれが離間して、溶接等の公知の方法で側面部２１に接合される。ストレーナ３０は、排水に含まれる食物等の残渣が通過しない範囲の大きさの孔、又は網目が設けられた、板状のものであり、その上部には水平方向に曲げられた取っ手３１が設けられる。そして、ストレーナ３０は上記の取付枠２９と側面部２１との隙間に嵌挿され、固定される。なお、排水に含まれる細かな残渣が、ブラケット２９と側面部２１との隙間に堆積されるのを防止するため、三方に設けられたブラケット２９は互いに離間して隙間Ｓ１を持って取付けられている。また、本実施形態では、第２濾過手段２８を側面部２１の内側に設けているが、この設置場所は、後述する第１濾過手段４５よりも下流側であれば特に限定されず、例えば、後述する処理槽４３の内部に設けることもできる。
【００２８】
図１〜図３に戻り、接続部４０は、枡本体部２０の側面部２１から横方向に突出され、図示しない排水溝が接続されるもので、継手部４１と、処理槽４３と、第１濾過手段４５と、接続部受枠４７とを備える。
【００２９】
継手部４１は、接続される図示しない排水溝と略同じ断面形状である略Ｕ字状をなし、排水溝の端部が接続される。この接続としては、例えば、継手部４１と排水溝の端部に図示しないフランジを設けて、フランジ同士を接合する方法、継手部４１と排水溝の端部同士を重ね合わせる、又は突き合わせて溶接等で接合する方法等が用いられる。
【００３０】
処理槽４３は、継手部４１より枡本体部２０の側面部２１側に設けられ、継手部の底面４２から相対的に凹状とされるとともに、枡本体部２０の流入口２２に続くもので、第１濾過手段４５が装着される。また、継手部４１側の処理槽の壁面５０は、その上側が継手部４１側に倒れるように傾斜されるとともに、処理槽４３の底面は、枡本体部２０の流入口２２に向かって僅かに傾斜される。
【００３１】
第１濾過手段４５は、継手部の底面４２から突出しないように処理槽４３に装着され、排水に含まれる塵芥を漉し取る籠状のもので、継手部４１側の壁面５１は、処理槽の壁面５０同様に継手部４１側に傾斜される。また、第１濾過手段４５の底面裏側と、処理槽４３の底面との間には若干の隙間Ｓ２が設けられており、当該隙間Ｓ２を、塵芥を漉し取られた排水が流れていく。なお、第１濾過手段４５は、そのフランジ部４６が処理槽の縁４４に載置されることで、処理槽４３に装着される。なお、第１濾過手段４５と第２濾過手段２８の排水が通過する孔又は網目は同じ大きさでも構わないし、第２濾過手段２８の孔又は網目を第１濾過手段４５の孔又は網目より小さくしてもよい。このようにすることで、多段的に食物等の残渣を取除くことができ、より細かな残渣も濾過することができる。
【００３２】
接続部受枠４７は、上方に向かって開口され、接続部４０の上面を覆う図示しない接続部用蓋が載置されるもので、幅方向の最も外側に床等及び枡蓋受枠１０の外枠１１と同じ高さに設けられた接続部外枠４８が設けられる。そして、接続部外枠４８の内側の一段下がったところに水平な帯状の面からなるとともに、接続部用蓋の底面が当接される、接続部受部４９が設けられる。なお、接続部用蓋は、その上面が接続部外枠４８の上面及び床等と同じ高さになるように構成される。
【００３３】
なお、接続部４０は、本実施形態では２本が枡本体部２０に設けられているが、この本数に限られず、１本でもよいし、また枡本体部２０に設けられる限りにおいて、何本でも設けることができる。
【００３４】
また、図２からもわかるように、処理槽４３の大きさは、枡本体部２０の内部の大きさより遙かに小さく、枡本体部２０の内部の寸法に合う別の濾過手段を枡本体部２０に設けたときと比較して、本実施形態に採用されている第１濾過手段４５の方が遙かに小さく構成することができる。また、枡蓋よりも接続部４０に載置される接続部用蓋の方を小さくできることも図２から明らかである。
【００３５】
次に、以上説明した各要素の構成を踏まえて、本実施形態の排水枡１の使用方法及び作用を説明する。
【００３６】
床面等に流れた排水は、本実施形態の排水枡１に接続されている排水溝に食物等の残渣とともに流れ込み、接続部４０に流入する。次に、排水は処理槽４３内に装着された第１濾過手段４５に流入し、残渣が第１濾過手段４５で漉し取られる。このとき、第１濾過手段４５及び処理槽４３の継手部側の壁面５０，５１が、継手部４１側、すなわち上流側に傾斜されているため、排水が第１濾過手段４５に滑らかに流入する。これにより、排水の流れが妨げられることがなく、第１濾過手段４５に漉し取られた残渣が排水の勢いによって、第１濾過手段４５の中に広く広がる。そして、濾過された排水は、流入口２２から第２濾過手段２８を通過することで枡本体部２０に流入し、トラップ管２５を通じて排出される。
【００３７】
次に、第１濾過手段４５に食物等の残渣が堆積されたときの清掃方法を説明する。先ず、接続部４０の上面を覆う接続部用蓋を取り外す。次に、処理槽４３から第１濾過手段４５を取外し、第１濾過手段４５に堆積された残渣を取除くか、別に用意した第１濾過手段４５に交換する。このとき、新たな排水が排水溝から流入してきても、第２濾過手段２８で濾過されるため、残渣が枡本体部２０に流入することはない。そして、接続部用蓋を元通りに載置させる。
【００３８】
以上、説明したように、本実施形態の排水枡によれば、枡本体部に濾過手段を設ける構成と比べて、第１濾過手段を遙かに小さくすることが可能となり、清掃時の労力の軽減を図ることができる。また、同様に清掃時に着脱が必要な接続部用蓋も、枡蓋に比べて小さくすることが可能となり、同じく清掃時の労力の低減を図ることができる。
【００３９】
また、排水溝を複数本接続して、排水枡に流入する排水の量が増え、食物等の残渣が増加しても、本実施形態の排水枡では、濾過能力が接続部の本数、すなわち接続される排水溝の本数に比例するため、枡本体部を大型化する必要がなく、コンパクトな枡本体部とすることが可能となる。
【００４０】
また、処理槽及び第１濾過手段の継手部側の壁面が傾斜されているため、排水の勢いが妨げられず、残渣が排水の勢いで第１濾過手段の底面の全域に広がり、第１濾過手段の清掃頻度を下げることができる。
【００４１】
また、第２濾過手段が第１濾過手段の下流側に設けられているため、第１濾過手段の清掃時等において、第１濾過手段を取り外しているときに排水が流入しても、残渣は第２濾過手段で漉し取られ枡本体部に入ることがない。また、第２濾過手段の網目を第１濾過手段の網目より細かなものとすれば、より細かな塵芥も濾過することができ、濾過性能を向上させることができる。
【００４２】
なお、上述した排水枡は、本発明の例示であり、発明の趣旨を逸脱しない範囲において、その構成を適宜変更することができる。
【符号の説明】
【００４３】
１・・排水枡、
１０・・枡蓋受枠、１１・・外枠、１２・・枡蓋受部、
２０・・枡本体部、２１・・側面部、２２・・流入口、２３・・段差、２４・・底面部、２５・・排水管（トラップ管）、２６・・縦管、２７・・横管、２８・・第２濾過手段、２９・・取付枠（ブラケット）、３０・・ストレーナ、３１・・取っ手、Ｓ１，Ｓ２・・隙間
４０・・接続部、４１・・継手部、４２・・継手部の底面、４３・・処理槽、４４・・処理槽の縁、４５・・第１濾過手段、４６・・フランジ部、４７・・接続部受枠、４８・・接続部外枠、４９・・接続部受部、５０・・処理層の壁面、５１・・第１濾過手段の壁面、
【図１】
2016079595.tif 000003
【図２】
2016079595.tif 000004
【図３】
2016079595.tif 000005
【図４】
2016079595.tif 000006